【手続補正書】
【提出日】平成19年1月19日(2007.1.19)
【手続補正１】
【補正対象書類名】特許請求の範囲
【補正対象項目名】全文
【補正方法】変更
【補正の内容】
【特許請求の範囲】
【請求項１】
非鉛系金属線よりなる芯成分に、鞘成分として少なくとも１種類の着色剤を含有している合成樹脂を被覆してなる高比重繊維を含む網糸が、網の少なくとも一部に使用されていることを特徴とする漁網。
【請求項２】
前記網糸が高比重繊維２〜９０体積％の割合で合成マルチフィラメントおよび／または合成モノフィラメントと混撚されていることを特徴とする請求項１に記載の漁網。
【請求項３】
前記非鉛系金属線が１本の金属単線からなることを特徴とする請求項１または２に記載の漁網。
【請求項４】
前記非鉛系金属線が２〜５０００本の金属単線を組み合わせたものであることを特徴とする請求項１または２に記載の漁網。
【請求項５】
前記非鉛系金属単線がステンレスであり、かつ前記合成樹脂が熱可塑性樹脂であって、高比重繊維の比重が１．５〜８であることを特徴とする請求項３または４に記載の漁網。
【請求項６】
前記高比重繊維の繊維径が５０〜３０００μｍ、かつ高比重繊維断面に占める非鉛系金属線の割合が３〜９５体積％であることを特徴とする請求項１〜５のいずれかに記載の漁網。
【請求項７】
前記合成樹脂がポリアミド系樹脂、ポリエステル系樹脂およびポリオレフィン系樹脂からなる群から選ばれた少なくとも１種類からなり、比重が１．５〜８であることを特徴とする請求項１〜６のいずれかに記載の漁網。
【請求項８】
前記合成マルチフィラメントおよび／または合成モノフィラメントが少なくとも１種類の着色剤を含有したポリアミド系樹脂および／またはポリエステル系樹脂からなることを特徴とする請求項２〜７のいずれかに記載の漁網。
【請求項９】
ひき網、定置網、刺し網、流し網、まき網、敷き網、垣網、投網および生簀網からなる群から選ばれたことを特徴とする請求項１〜８のいずれかに記載の漁網。
【手続補正２】
【補正対象書類名】明細書
【補正対象項目名】０００８
【補正方法】変更
【補正の内容】
【０００８】
しかしながら、これらの方法では繊維全体に高比重粒子が分散している特許文献２に記載の方法と比較すると耐摩耗性は向上するものの、実質上耐摩耗性を担っているのが鞘成分のみであるため鞘成分が摩耗した場合には繊維の耐摩耗性が極端に悪くなってしまうという問題があるだけでなく、高比重粒子を芯成分に練り込んで比重の高い繊維を得ようとする場合には繊維中の粒子の容積比率が大きくなることから、製糸性が著しく悪化してしまうという問題も有している。
【手続補正３】
【補正対象書類名】明細書
【補正対象項目名】００１５
【補正方法】変更
【補正の内容】
【００１５】
上記の課題を解決するため、本発明は以下の構成を採用する。すなわち、
（１）非鉛系金属線よりなる芯成分に、鞘成分として少なくとも１種類の着色剤を含有している合成樹脂を被覆してなる高比重繊維を含む網糸が、網の少なくとも一部に使用されていることを特徴とする漁網。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】変更
【補正の内容】
【００１８】
（３）前記非鉛系金属線が１本の金属単線からなることを特徴とする前記（１）または（２）に記載の漁網。
【手続補正６】
【補正対象書類名】明細書
【補正対象項目名】００１９
【補正方法】変更
【補正の内容】
【００１９】
（４）前記非鉛系金属線が２〜５０００本の金属単線を組み合わせたものであることを特徴とする前記（１）または（２）に記載の漁網。
【手続補正７】
【補正対象書類名】明細書
【補正対象項目名】００２０
【補正方法】変更
【補正の内容】
【００２０】
（５）前記非鉛系金属単線がステンレスであり、かつ前記合成樹脂が熱可塑性樹脂であって、高比重繊維の比重が１．５〜８であることを特徴とする前記（３）または（４）に記載の漁網。
【手続補正８】
【補正対象書類名】明細書
【補正対象項目名】００２１
【補正方法】変更
【補正の内容】
【００２１】
（６）前記高比重繊維の繊維径が５０〜３０００μｍ、かつ高比重繊維断面に占める非鉛系金属線の割合が３〜９５体積％であることを特徴とする前記（１）〜（５）のいずれかに記載の漁網。
【手続補正９】
【補正対象書類名】明細書
【補正対象項目名】００２２
【補正方法】変更
【補正の内容】
【００２２】
（７）前記合成樹脂がポリアミド系樹脂、ポリエステル系樹脂およびポリオレフィン系樹脂からなる群から選ばれた少なくとも１種類からなり、比重が１．５〜８であることを特徴とする前記（１）〜（６）のいずれかに記載の漁網。
【手続補正１０】
【補正対象書類名】明細書
【補正対象項目名】００２３
【補正方法】変更
【補正の内容】
【００２３】
（８）前記合成マルチフィラメントおよび合成モノフィラメントが少なくとも１種類の着色剤を含有したポリアミド系樹脂および／またはポリエステル系樹脂からなることを特徴とする前記（２）〜（７）のいずれかに記載の漁網。
【手続補正１１】
【補正対象書類名】明細書
【補正対象項目名】００２５
【補正方法】変更
【補正の内容】
【００２５】
（９）ひき網、定置網、刺し網、流し網、まき網、敷き網、垣網、投網および生簀網からなる群から選ばれたことを特徴とする前記（１）〜（８）のいずれかに記載の漁網。
【手続補正１２】
【補正対象書類名】明細書
【補正対象項目名】００２６
【補正方法】変更
【補正の内容】
【００２６】
本発明の漁網を構成する網糸の芯成分は、非鉛系素材であるため環境負荷が小さく、耐摩耗性に非常に優れるばかりか、非鉛系金属線の周りを被覆する合成樹脂が着色剤を含有しているため水棲動物に対して警戒心が小さく、高比重のため海流等によってフカレにくい漁網である。
【手続補正１３】
【補正対象書類名】明細書
【補正対象項目名】００２７
【補正方法】変更
【補正の内容】
【００２７】
本発明の漁網を構成する網糸は、芯成分として非鉛系金属線を用い、該芯成分の周りを鞘成分として合成樹脂で被覆してなる高比重繊維からなるものであり、この網糸を網の少なくとも一部に使用するものである。非鉛系金属線を芯成分に用いることで、高比重であるばかりか非常に優れた耐摩耗性を発揮し、合成樹脂により該芯成分の周りを被覆することによって、非鉛系金属線を錆やアミン等による腐蝕から保護することが可能となる。
【手続補正１４】
【補正対象書類名】明細書
【補正対象項目名】００３４
【補正方法】変更
【補正の内容】
【００３４】
本発明における高比重繊維の鞘成分として非鉛系金属線の周りを被覆する合成樹脂は、１種類以上の着色剤を含有している。着色剤を含有しない場合には非鉛系金属線の有する光沢が水棲動物に警戒感を与えてしまう。
【手続補正１５】
【補正対象書類名】明細書
【補正対象項目名】００３６
【補正方法】変更
【補正の内容】
【００３６】
また、着色剤の含有量としては鞘成分の合成樹脂に対して０．０１〜４重量％含有していることが好ましい。着色剤の添加量が０．０１重量％以上であれば色調が不足することもなく、４重量％以下であれば製造工程における工程通過制および漁網用として必要な耐摩耗性を有する繊維を得ることができる。着色剤の添加量は、鞘成分の合成樹脂に対し０．１〜０．６重量％であることがより好ましく、０．３〜０．５重量％の範囲内であることがさらに好ましい。
【手続補正１６】
【補正対象書類名】明細書
【補正対象項目名】００４７
【補正方法】変更
【補正の内容】
【００４７】
また、着色剤の含有量は鞘成分の合成樹脂に対して０．０１〜４重量％含有していることが好ましい。着色剤の添加量が０．０１重量％以上であれば色調が不足することもなく、４重量％以下であれば製造工程における工程通貨制および漁網用として必要な耐摩耗性を有する繊維を得ることができる。着色剤の添加量は、鞘成分の合成樹脂に対し０．１〜０．６重量％であることがより好ましく、０．３〜０．５重量％の範囲内であることがさらに好ましい。
【手続補正１７】
【補正対象書類名】明細書
【補正対象項目名】００７０
【補正方法】変更
【補正の内容】
【００７０】
［摩耗試験］
試料として、漁網を分解して得られた網糸を用いた。
【手続補正１８】
【補正対象書類名】明細書
【補正対象項目名】００７１
【補正方法】変更
【補正の内容】
【００７１】
オリエンタルモーター社製ギヤヘッド（５ＧＮ７．５Ｋ）とスピードコントロールモーター（ＰＳＨ５４０−４０１Ｐ）よりなるモーターにＳｈａｎｈａｉ Ｎｏｒｔｏｎ Ａｂｒａｓｉｖｅｓ Ｃｏ．ＬＴＤ製の砥石（Ｓ０５０４９５）を取り付け、１００ｇの荷重を取り付けた試料と砥石が水中において、接触長が９ｃｍとなるように設置した後、砥石を２００ｒｐｍで回転させ、５分間摩耗試験を行った。各試料について５回の試験を行い、破断回数が１回以下の試料については○、２〜３回の試料に付いては△、４回以上の試料については×と評価した。
【手続補正１９】
【補正対象書類名】明細書
【補正対象項目名】００８７
【補正方法】削除
【補正の内容】
【手続補正２０】
【補正対象書類名】明細書
【補正対象項目名】００８８
【補正方法】変更
【補正の内容】
【００８８】
実施例および比較例から明らかなように、本発明の高比重繊維およびそれを用いた漁網は、適切な比重と優れた耐摩耗性を有するものであった。